(57)【要約】【課題】使用者の体調や食物の種類等に応じ簡単な操作で目標咀嚼条件が設定され、使用者の咀嚼状態を検出判定通報する咀嚼センサを提供する。【解決手段】  使用者が耳に装着した状態で食事が自由にでき、咀嚼センサ１が上下頬骨の咀嚼動作を検出し、使用者の健康状態や食物の種類等設定要因に応じ、条件設定器６で目標咀嚼回数を設定し咀嚼で生じる計数信号Ｆ３を積算計数回路１０で積算計数する。そして、目標咀嚼回数の咀嚼を正常に実行したか否かを判定し、通報音発生回路１６からの正常通報音又は異常通報音をスピーカ１８で利用者に適確に通報し、咀嚼動作の状態を設定要因に対応して適切に判定し通報することが可能になる。このため最適な咀嚼が実行可能で、食物の消化を助長し唾液との混合や歯触りで味覚刺激を増加させ、栄養の充分な取込が可能になり、咀嚼により顎、口腔、顔面、脳への血流を促進しストレスの解消が可能になる。【選択図】図１
2007317144.tif 000002
【特許請求の範囲】
【請求項１】
使用者の食物摂取に目標咀嚼条件を設定し、該目標咀嚼条件に対して前記使用者が実行する咀嚼動作を検出判定する咀嚼カウンタであり、
前記咀嚼動作を前記使用者の下顎骨及び上頬骨の動きを介して検出する咀嚼センサと、該咀嚼センサの出力信号の計数条件を、前記目標咀嚼条件に対応して設定する計数条件設定手段と、
前記咀嚼センサの出力信号を前記計数条件下で計数し、前記使用者による食物の咀嚼動作データを取得する動作データ取得手段と、
該動作データ取得手段が取得する前記咀嚼動作データに基づき、前記設定手段により設定される計数条件に対して正常計数が行なわれたことを示す正常計数通報音、もしくは前記計数条件に対して正常計数が行なわれなかったことを示す異常計数通報音を発生する通報音発生手段と、
該通報音発生手段の通報音に基づき、前記使用者による食物の咀嚼動作の状態を判定する咀嚼動作判定手段と
を有することを特徴とする咀嚼カウンタ。
【請求項２】
動作データ取得手段が取得する咀嚼動作データを、咀嚼カウンタに外部接続されて、咀嚼関連情報を演算する電子情報処理装置に供給する外部出力回路が、請求項１記載の咀嚼カウンタに対してさらに設けられていることを特徴とする咀嚼カウンタ。
【請求項３】
請求項１または請求項２記載の咀嚼カウンタが、使用者の耳に係止される鉤形状ケース内に収納されていることを特徴とする咀嚼カウンタ。
【発明の詳細な説明】
【技術分野】
【０００１】  本発明は、使用者の食物摂取に咀嚼条件を設定し、設定した咀嚼条件に対応する使用者の咀嚼動作を検出判定する咀嚼カウンタに関する。
【背景技術】
【０００２】  人間は雑食動物であり、食物の摂取に際しては、口に入れた食物を前歯で咬断した後に小臼歯部で噛み潰して小食塊にし、さらに大臼歯部で磨り潰すという一連の咀嚼動作が先ず行なわれる。次いで、このようにして咀嚼された食物が、唾液と混ぜ合わされてゲル状にされ、その後、嚥下されて食道に送り込まれ、胃、小腸、大腸と順次移動する過程で消化・吸収される。
この場合に行なう咀嚼運動は、消化を助長し、唾液との混合や歯触りによる味覚刺激の増加を行なうだけではなく、顎、口腔、顔面、脳への血流を促進し、ストレスを解消し、食物繊維により歯や歯茎を自浄すると共に強化し、上下頬骨の発育を促進し、さらには食物に混入された異物を検出するなどの機能を有している。【０００３】  このように、食物を咀嚼することは、食物の消化を助け、栄養を充分に取り込むためばかりでなく、人の健康、取りわけ脳の正常な活動にも必要なことであり、食事に際しては食物を充分に咀嚼してから嚥下することが必要なことは理解できる。
しかし、例えば一口で３０回以上の咀嚼が必要であると言われても、食事に際して自ら咀嚼回数を正確に数えることはかなり難しく、回数を数えることに気を取られて咀嚼が不十分になることもあり得る。
一方では、摂取する食物が硬いか軟かいか、或いは消化が良いか悪いかなど食物の種類によって必要な咀嚼回数は当然異なり、また、咀嚼実行者の健康状態によっても必要な咀嚼回数には差があり、例えば咀嚼実行者が胃の手術をした場合には、手術前よりも多くの咀嚼回数が必要なことも明らかである。【０００４】  従来食事に際して必要な食物の咀嚼回数は、医師の指示或いは経験上の判断に基づく自己の健康状態と食物の種類とを配慮して事前に選定され、食事をしながら選定した回数に達するまで咀嚼回数を数えることが必要となり、不便であると共に咀嚼回数を数えることに気を取られて、充分な咀嚼が行なわれないことも多かった。
【発明の開示】
【発明が解決しようとする課題】
【０００５】  本発明は、前述したような食物咀嚼の現状に鑑みてなされたものであり、その目的は使用者の健康状態や摂取する食物の種類などの設定要因に応じて、簡単な操作で適切な目標咀嚼条件を設定し、目標咀嚼条件に対する実行咀嚼状態を検出判定し、使用者に適切に通報することが可能な咀嚼センサを提供することにある。
【課題を解決するための手段】
【０００６】  前記目的を達成するために、請求項１記載の第１の発明は、使用者の食物摂取に目標咀嚼条件を設定し、該目標咀嚼条件に対して前記使用者が実行する咀嚼動作を検出判定する咀嚼カウンタであり、前記咀嚼動作を前記使用者の下顎骨及び上頬骨の動きを介して検出する咀嚼センサと、該咀嚼センサの出力信号の計数条件を前記目標咀嚼条件に対応して設定する計数条件設定手段と、前記咀嚼センサの出力信号を前記計数条件下で計数し、前記使用者による食物の咀嚼動作データを取得する動作データ取得手段と、該動作データ取得手段が取得する前記咀嚼動作データに基づき、前記設定手段により設定される計数条件に対して正常計数が行なわれたことを示す正常計数通報音、もしくは前記計数条件に対して正常計数が行なわれなかったことを示す異常計数通報音を発生する通報音発生手段と、該通報音発生手段の通報音に基づき、前記使用者による食物の咀嚼動作の状態を判定する咀嚼動作判定手段とを有することを特徴とするものである。【０００７】  第１の発明に係る咀嚼カウンタによると、使用者が食物を摂取する際に、使用者の健康状態や食物の種類などの設定要因に対応した目標咀嚼条件が設定され、設定された目標咀嚼条件に対して使用者が実行する咀嚼動作が検出判定される。
この場合、咀嚼センサによって使用者の下顎骨及び上頬骨の動きを介して、使用者が実行した咀嚼動作が高精度で検出され、計数条件設定手段によって目標咀嚼条件に対応して設定される計数条件下で、咀嚼センサの出力信号の計数が行なわれることにより、動作データ取得手段によって使用者による食物の咀嚼動作データが取得される。
そして、動作データ取得手段によって、このように取得される咀嚼動作データに基づいて、通報音発生手段によって、設定手段により設定される計数条件下で正常計数が行なわれたことを示す正常計数通報音、もしくは計数条件下で正常計数が行なわれなかったことを示す異常計数通報音が発生され、通報音発生手段から発生されるこのような通報音に基づいて、咀嚼動作判定手段によって、使用者による食物の咀嚼動作の状態が、使用者の健康状態及び食物の種類などの設定要因に対応して適切に判定される。【０００８】  同様に前記目的を達成するために、請求項２記載の第２の発明は、動作データ取得手段が取得する咀嚼動作データを、咀嚼カウンタに外部接続されて、咀嚼関連情報を演算する電子情報処理装置に供給する外部出力回路が、第１の発明に対してさらに設けられていることを特徴とするものである。【０００９】  第２の発明によると、第１の発明での作用に加えて、外部出力回路によって、動作データ取得手段が取得する咀嚼動作データが、咀嚼カウンタに外部接続されて、咀嚼関連情報を演算する電子情報処理装置に供給され、取得された咀嚼データに対応する咀嚼関連情報の演算が電子情報処理装置によって行なわれる。【００１０】  同様に前記目的を達成するために、請求項３記載の第３の発明は、第１の発明または第２の発明が、使用者の耳に係止される鉤形状ケース内に収納されていることを特徴とするものである。【００１１】  第３の発明によると、第１の発明または第２の発明での作用に加えて、全体が使用者の耳に係止される駒形状ケースに収納されているので、使用者によって装着感なく自在に携帯使用される。
【発明の効果】
【００１２】  第１の発明によると、咀嚼センサによって使用者の下顎骨及び上頬骨の動きを介して、使用者が実行した咀嚼動作を高精度に検出することが可能で、さらに計数条件設定手段によって、使用者の健康状態や摂取する食物の種類などの設定要因に対応して、咀嚼センサの出力信号の計数条件を設定することが可能になる。また、設定された計数条件下で、咀嚼センサの出力信号の計数を行なうことにより、動作データ取得手段によって、使用者による食物の咀嚼動作データを、使用者の健康状態や摂取する食物の種類などの設定要因に応じて適切に対応して取得することが可能になる。
そして、動作データ取得手段によって取得される咀嚼動作データに基づいて、通報音発生手段によって、設定手段により設定される計数条件下で正常計数が行なわれたことを示す正常計数通報音、もしくは計数条件下で正常計数が行なわれなかったことを示す異常計数通報音が発生され、通報音発生手段から発生される通報音に基づいて、咀嚼動作判定手段によって、使用者の設定要因に対応する目標咀嚼条件下での食物の咀嚼動作の状態を適切に判定することが可能になる。【００１３】  このために第１の発明によると、目標咀嚼条件下での食物の咀嚼動作の状態を、使用者の健康状態や摂取する食物の種類などの設定要因に対応して適切に判定し、使用者に通報することが可能になり、利用者に対応する適切な咀嚼を実行することを通じて、食物の消化を助長し、唾液との混合や歯ざわりによる味覚刺激を増加させて、栄養の取込を充分に行なうことが可能になると共に、咀嚼を通じて顎、口腔、顔面、脳への血流を促進し、ストレスを解消することも可能になり、さらには上下頬骨の発育を促進することも可能になる。【００１４】  第２の発明によると、第１の発明で得られる効果に加えて、外部出力回路によって、動作データ取得手段が取得する咀嚼動作データが、咀嚼カウンタに外部接続されて、咀嚼関連情報を演算する電子情報処理装置に供給されるので、取得された咀嚼データに対応する咀嚼関連情報の演算を電子情報処理装置によって行なうことが可能になる。【００１５】  第３の発明によると、第１の発明または第２の発明で得られる効果に加えて、咀嚼カウンタ全体が使用者の耳に係止される駒形状ケースに収納されているので、使用者によって装着感なく自在に携帯使用することが可能になる。
【発明を実施するための最良の形態】
【００１６】  以下に、本発明の一実施の形態を、図１ないし図３を参照して説明する。
図１は本実施の形態の構成を示すブロック図、図２は本実施の形態の被検者による使用状態を示す説明図、図３は本実施の形態の形状を示す外観図で、（ａ）は斜視図、（ｂ）は側面図である。【００１７】  本実施の形態に係る咀嚼カウンタ２０は、図３（ａ）、（ｂ）に示すような鉤形状で合成樹脂製のケース２１内に収納され、図２に示すように使用者２２の耳に係止装着されるように構成されている。
本実施の形態に係る咀嚼カウンタ２０には咀嚼センサ１が設けられ、この咀嚼センサ１は、咀嚼カウンタ２０が使用者２２の耳に係止された状態で、使用者２２の頬骨弓位置に対応する耳近傍の側頭位置に対接するように配置されている。この咀嚼センサ１は圧電素子を具備しており、使用者２２の上頬骨と下頬骨による咀嚼動作が、この圧電素子により検出される構成となっている。
図１に示すように、咀嚼センサ１の出力端子は比較回路２の第１の入力端子に接続され、比較回路２の第２の入力端子とアース間には、バッテリー７と可変抵抗器３からなり、比較回路２の比較動作の基準値を設定するレベル設定器８が接続されている。この比較回路２は、咀嚼センサ１から出力される咀嚼信号Ｆ１から基準値ｅｓ以上のレベルの被測定咀嚼信号Ｆ１ｓ（Ｆ１ｓ＞Ｆ１−ｅｓ）を出力する機能を有している。【００１８】  比較回路２の出力端子は、設定される計数条件での計数を行なう設定条件計数回路５の第１の入力端子に接続され、設定条件計数回路５の第２の入力端子には、設定条件計数回路５に計数条件を設定する条件設定器６が接続されている。
本実施の形態では、使用者２２の健康状態や食物の種類などの設定要因に対応して、条件設定器６によって目標咀嚼回数を２０回から１００回までの５段階に設定できるように構成されており、設定条件計数回路５は、条件設定器６が設定した条件下で比較回路２から出力される被測定咀嚼信号Ｆ１ｓを計数する機能を有している。【００１９】  設定条件計数回路５の出力端子は、条件設定器６が設定する目標咀嚼回数での積算計数を行なう積算計数回路１０の第１の入力端子、咀嚼動作のデータが格納される動作メモリ１４の第１の入力端子、及びＮＯＴ回路９の入力端子に接続され、積算計数回路１０の第２の入力端子には、条件設定器６の出力端子が接続されている。
また、積算計数回路１０の出力端子は動作データメモリ１４の第２の入力端子、及び排他的ＯＲ回路１３の第１の入力端子に接続され、ＮＯＴ回路９の出力端子が、排他的ＯＲ回路１３の第２の入力端子に接続されている。
さらに、排他的ＯＲ回路１３の出力端子は、嚥下動作を含み次の咀嚼動作の開始までに必要な咀嚼間時間がセットされており、セット時間後に信号を出力するタイマ１２の入力端子に接続され、タイマ１２の出力端子がリセット回路１１の入力端子に接続され、リセット回路１１の出力端子が積算計数回路１０のリセット端子に接続されている。【００２０】  そして、動作データメモリ１４の出力端子が外部出力回路１５と、咀嚼動作に対する通報音を発生する通報音発生回路１６とに接続され、通報音発生回路１６の出力端子はスピーカ１８に接続されている。また、外部出力回路１５の出力端子には、咀嚼カウンタ２０に外部接続されて咀嚼関連情報を演算するパーソナルコンピュータ１７が接続可能な構成になっている。【００２１】  このような構成の本実施の形態の動作を以下に説明する。
使用者２２は、咀嚼センサ２０を耳に装着して咀嚼動作の検出を行なう前に、レベル設定器８による検出動作の最低レベル値ｅｓの設定確認、或いは設定調整を行なうと共に、使用者２２の健康状態や摂取する食物の種類などの設定要因に応じて、条件設定器６から設定する目標咀嚼回数を決定し、決定した目標咀嚼回数を条件設定器６に設定する。
咀嚼カウンタ２０のレベル設定器８には、咀嚼信号Ｆ１の検出動作時の最低レベル値ｅｓとして、健康な成人の平均最低基準値が予め設定されており、この最低レベル値ｅｓは可変抵抗器３により必要に応じて可変可能に構成されている。
従って、使用者２２が健康な成人である場合には、レベル設定器８に最低レベル値ｅｓとして平均最低基準値が設定されていることの確認が行なわれる。一方、使用者２２が病気や老化によって咀嚼力が低下している場合や、使用者が子供で咀嚼力が弱い場合には、最低レベル値ｅｓは健康な成人の平均最低基準値よりも低めに修正設定される。【００２２】  一方、条件設定器６によって、使用者２２が一口分として口に含んだ食物に対する目標咀嚼回数が設定される。この目標咀嚼回数は摂取しようとする食物が硬いか軟かいか、或いは消化が良いか悪いかなど食物の種類により異なり、また、使用者２２の消化器の消化・吸収機能などの健康状態により異なるが、通常の健康な成人では一口分の食物を３０回ないし４０回咀嚼するとよいと言われている。
また、タイマ１２には、健康な成人が食物を咀嚼した後に、嚥下して次の咀嚼に移行するまでに必要な咀嚼間時間が予めセットしてあり、健康な成人ではセットされた咀嚼間時間に、食物を嚥下して次の咀嚼にスムーズに移行して咀嚼動作が継続される。しかし、老化や喉の故障などにより、通常よりも長い咀嚼間時間が必要な場合には、タイマ１２のセットを修正する必要がある。【００２３】  このようにして、レベル設定器８に設定されている検出動作の最低レベル値ｅｓの設定確認、或いは必要に応じた設定調整、使用者の健康状態や摂取する食物の種類などの設定要因に応じた条件設定器６による目標咀嚼回数の設定、及びタイマ１２にセットされる咀嚼間時間の確認、或いは必要に応じたセット値の修正が行なわれた後に、使用者２２の耳に咀嚼カウンタ２０が装着される。
合成樹脂製のケース２１に収納されている咀嚼カウンタ２０は軽量であり、且つ鉤形状のケース２１によって、使用者２２の片方の耳に、装着感なく確実に装着されるので、使用者２２は、咀嚼カウンタ２０を装着したままで、装着感なしに自由に食事を摂ることができる。【００２４】  例えば、目標咀嚼回数を４０に設定した場合について説明すると、使用者２２が咀嚼カウンタ２０を装着した状態で食事を摂り、口に含んだ食物の咀嚼を開始すると、使用者２２の咀嚼ごとに咀嚼信号Ｆ１が咀嚼センサ１から出力される。そして、比較回路２からは、レベル設定器８て設定される最低レベル値ｅｓに対応して、被測定咀嚼信号Ｆ１ｓ＝Ｆ１−ｅｓが出力され設定条件計数回路５に入力される。
この場合、設定条件計数回路５には、条件設定器６により目標咀嚼回数を４０に設定する設定信号Ｆ２が入力されており、設定条件計数回路５では、設定信号Ｆ２に応じて被測定咀嚼信号Ｆ１ｓが計数され、設定条件計数回路５からは計数信号Ｆ３が出力される。【００２５】  この計数信号Ｆ３は積算計数回路１０に入力され、積算計数回路１０では、条件設定器６から入力される設定信号Ｆ２に対応する積算計数が行なわれ、積算計数回路１０からは積算信号Ｆ５が出力される。この場合は、目標咀嚼回数が４０に設定されているので、設定条件計数回路５から入力される計数信号Ｆ３の４０カウントごとに、積算計数回路１０から積算信号Ｆ５が出力され、目標咀嚼回数の咀嚼が確実に実行されたことを示す正常な計数動作が行なわれる。
この積算信号Ｆ５は、排他的ＯＲ回路１３を介してタイマ１２に入力されるので、タイマ１２にセットされている嚥下動作を含む次の咀嚼の開始に必要な咀嚼間時間が経過すると、タイマ１２が作動しリセット回路１１からのリセット信号Ｆ６によって積算計数回路１０がリセットされ、次の積算計数動作に移行可能な状態が設定される。【００２６】  一方、設定条件計数回路５での計数において、使用者が予め設定された咀嚼回数４０に達する前に食物を嚥下した場合には、一定時間にわたって咀嚼動作がなくなり、計数信号Ｆ３の論理値が“０”となり、ＮＯＴ回路９の出力信号の論理値が“１”となり、排他的ＯＲ回路１３を介してタイマ１２がセットされ、リセット回路１１によって、積算計数回路１０がリセットされる。この場合は、目標咀嚼回数の咀嚼が実行できず正常な計数動作が行なわれない。【００２７】  動作データメモリ１４には、積算計数回路１０からの積算信号Ｆ５と設定条件計数回路５からの計数信号Ｆ３とが入力され、動作データとして格納されるので、格納データを読み出すことにより、設定された目標咀嚼回数の咀嚼が確実に実行されたか否かが判定され、通報音発生回路１６によって判定に対応する通報音が発生され、利用者２２には通報音によって判定結果が通報される。
この場合、通報音発生回路１６によって、動作データメモリ１４に格納された積算信号Ｆ５と計数信号Ｆ３とが読み出され、条件設定器６で設定される目標咀嚼回数４０に対応する積算値に達するまでに発生する計数信号Ｆ３に対応する通報音が、「チックータック」という目覚まし時計の心地よい刻時音と同一の音として、通報音発生回路１６から発生され、スピーカ１８を介して使用者２２に通報される。
この場合の通報音は計数信号Ｆ３の４０カウントごとに、カウントの終了に近付くとパルス間隔周波数が高められ、使用者２２によって４０に設定されたの咀嚼回数の経過が聴覚で感じ取られる。【００２８】  また、設定された目標咀嚼回数４０の咀嚼が確実に実行された場合には、使用者２２の咀嚼動作に同期して通報音発生回路１６から発せられる「チックータック」という目覚まし時計の心地よい刻時音と同一の通報音に続いて、動作データメモリ１４から読み出される積算信号Ｆ５に基づいて、「チーン」という静かで快適な鐘の音と同一の正常通報音が、目標咀嚼回数の正常な咀嚼動作が確実に実行されたことを示す正常通報音として使用者２２に通報される。
一方、使用者２２が予め設定された目標咀嚼回数４０に達する前に食物を嚥下した場合には、通報音発生回路１６が動作データメモリ１４から読み出す計数信号Ｆ３の論理値が一定時間“０”となったことを検知し、通報音発生回路１６からは、目標咀嚼回数の正常な咀嚼動作が実行されなかったことを示すブザー音と同一の異常通報音が使用者２２に通報される。【００２９】  また、外部出力回路１５の出力端子に、パーソナルコンピュータ１７が外部接続された場合には、動作データメモリ１４から外部出力回路１５を介してパーソナルコンピュータ１７に入力された動作データは、パーソナルコンピュータ１７のディスプレイに、視覚的に確認可能に表示される。さらには、入力された動作データに基づいて、パーソナルコンピュータ１７で、各種の咀嚼関連医学情報が演算され、得られた咀嚼関連医学情報がディスプレイに表示される。【００３０】  本実施の形態によると、使用者２２は咀嚼カウンタ２０を耳に装着感なく装着し、咀嚼センサ１を頬骨弓位置に対応する耳近傍の側頭位置に対接させ、上頬骨と下頬骨による咀嚼動作を咀嚼センサ１で検出しながら、自由に食事を摂ることが可能であり、使用者２２の健康状態や摂取する食物の種類などの設定要因に応じた目標咀嚼回数を条件設定器６で設定し、設定条件計数回路５で使用者２２の咀嚼動作に対応する計数信号Ｆ３を計数し、積算計数回路１０で目標咀嚼回数に対応する積算計数を行なうことにより、目標咀嚼回数の咀嚼を確実に実行したか否かを判定することが可能になる。
そして、得られる判定結果に基づいて、使用者２２の咀嚼動作に対応して「チックータック」という目覚まし時計の心地よい刻時音と同一の通報音が発せられ、正常な咀嚼動作が実行されると、動作データメモリ１４から読み出される積算信号Ｆ５に基づいて、「チーン」という静かで快適な鐘の音が、通報音発生回路１６から正常通報音として発せられる。
また、正常な咀嚼動作が実行されないと、動作データメモリ１４のデータから計数信号Ｆ３の論理値が一定時間“０”であると検知しブザー音が異常通報音として通報音発生回路１６から発せられる。
このようにして、使用者２２は通報音発生回路１６からの正常通報音、異常通報音によって、目標咀嚼回数の咀嚼動作が正常に実行されたか否かを、食事を摂りながらスピーカ１８から聴覚的に適確に感知することが可能になる。【００３１】  以上に説明したように、本実施の形態によると、目標咀嚼条件下での食物の咀嚼動作の状態を、使用者２２の健康状態や摂取する食物の種類などの設定要因に対応して適切に判定し、使用者２２に的確に通報することが可能になり、利用者２２に対応する適切な咀嚼を実行することを通じて、食物の消化を助長し、唾液との混合や歯触りによる味覚刺激を増加させて、栄養の取込を充分に行なうことが可能になると共に、咀嚼を通じて顎、口腔、顔面、脳への血流を促進し、ストレスを解消することも可能になり、さらには上下頬骨の発育を促進することも可能になる。【００３２】  なお、以上に説明した実施の形態では、咀嚼カウンタが、被検者の耳に係止される鉤形状ケース内に収納されている構成のものを説明したが、本発明はこの実施の形態に限定されるものではなく、咀嚼カウンタを鉤形状ケースに代えてボックス型ケースに収容し、イヤホーンを使用するた構成や、ヘッドホーン型の構成とすることも可能である。
【図面の簡単な説明】
【００３３】
【図１】  本発明の一実施の形態の構成を示すブロック図である。
【図２】  同実施の形態の使用状態を示す説明図である。
【図３】  同実施の形態の形状を示す外観図で、（ａ）は斜視図、（ｂ）は側面図である。
【符号の説明】
【００３４】  １  咀嚼センサ
２  比較回路
５  設定条件計数回路
６  条件設定器
８  レベル設定器
９  ＮＯＴ回路
１０  積算計数回路
１１  リセット回路
１２  タイマ
１３  排他的ＯＲ回路
１４  動作データメモリ
１５  外部出力回路
１６  通報音発生回路
１７  パーソナルコンピュータ
１８  スピーカ
２０  咀嚼カウンタ
２２  使用者
【図１】
2007317144.tif 000003
【図２】
2007317144.tif 000004
【図３】
2007317144.tif 000005